(57)【要約】【課題】在庫調整が必要となったときに、取引先や第三者に知られることなく、確実に処分することが可能な市場を構築し得る、インターネットを利用して運用される住宅資材の販売・購入支援システムを提供する。【解決手段】会員登録された利用者相互間における住宅資材の売買を仲介して、匿名性を持たせたオークション形式で支援するシステムであり、会員データベースと、出品情報を蓄積する出品情報データベースと、購入希望情報を蓄積する購入希望情報データベースとを有して、利用者が操作する外部端末Ｂ，Ｃとインターネットを介して相互通信してＷｅｂサーバＡ１，Ａ２として機能する。所定の入札締め日が到来すると、出品情報と購入希望情報とを照合し、合致する商品について、より高値の入札価格を提示した購入希望利用者から順番に、該入札価格よりも低い最低落札価格を提示して、かつ出品受付日の早い販売希望利用者の商品を順次に割り付ける。該割り付け結果に基づいて、販売希望利用者に販売結果通知を送信する一方、購入希望利用者に入札結果通知を送信する。【選択図】　　　図１
2004070434.tif 000002
【特許請求の範囲】
【請求項１】
コンピュータによりインターネットを利用して運用される住宅資材の販売・購入支援システムであって、次の事項（１）〜（５）により特定されることを特徴とする。
（１）会員登録された利用者相互間における住宅資材の売買を仲介して、匿名性を持たせたオークション形式で支援するシステムであり、会員データベースと、商品の販売を希望する利用者が登録した商品の出品情報を蓄積する出品情報データベースと、商品の購入を希望する利用者が登録した商品の購入希望情報とを蓄積する購入希望情報データベースとを有して、利用者が操作する外部端末とインターネットを介して相互通信してＷｅｂサーバとして機能する。
（２）前記会員データベースには、会員ＩＤに関連付けされて、会員名，所在地，電子メールアドレス等の連絡通知先手段の各種情報が含まれる。前記出品情報データベースには、会員ＩＤ，商品名，重量・寸法等の商品固有のスペック情報，販売数量，最低落札価格、受付日等の各種情報が含まれる。購入希望情報データベースには、会員ＩＤ，商品名，購買数量，入札価格等の各種情報が含まれる。
（３）前記Ｗｅｂサーバは、商品出品登録ＷｅｂページのＵＲＬを指定してアクセスしてきた利用者の外部端末からの要求に答えて、販売希望商品の出品登録画面と送信ボタンとが付帯された商品出品登録Ｗｅｂページを提供し、該商品出品登録Ｗｅｂページにおける出品登録画面に入力された会員ＩＤと販売希望商品に関する所定事項の情報とを該送信ボタンの操作により受け取ると、出品受付管理番号を自動付与して適宜な記憶媒体に設けた出品情報データベースに保存するとともに、受付確認通知を発信する。
（４）前記Ｗｅｂサーバは、商品の購入希望登録ＷｅｂページのＵＲＬを指定してアクセスしてきた利用者の外部端末からの要求に答えて、購入希望商品の登録画面と送信ボタンとが付帯された商品の購入希望登録Ｗｅｂページを提供し、該購入希望登録Ｗｅｂページにおける購入希望商品の登録画面に入力された会員ＩＤと購入希望商品に関する所定事項の情報とを該送信ボタンの操作により受け取ると、購入希望の受付確認通知を発信して、適宜な記憶媒体に設けた購入希望情報データベースに保存する。
（５）前記Ｗｅｂサーバは、所定の入札締め日が到来すると、出品情報データベースに蓄積された商品の出品情報と、購入希望情報データベースに蓄積された商品の購入希望情報とを照合し、合致する商品について、より高値の入札価格を提示した購入希望利用者から順番に、該入札価格よりも低い最低落札価格を提示して、かつ出品受付日の早い販売希望利用者の商品を順次に割り付け、該割り付け結果に基づいて、販売希望利用者に対して、販売数量と販売価格と商品配送情報との明細と伴に発注書を付帯させた販売結果通知を送信する一方、購入希望利用者に対して、販売数量と販売価格との明細と伴に請求書を付帯させた入札結果通知を送信する。
【発明の詳細な説明】
【０００１】
【発明の属する技術分野】
この発明は、会員登録されている利用者間での住宅資材の売買を、インターネットを利用して、匿名性を持たせたオークション形式で支援するようにした住宅資材の販売・購入支援システムに関する。
【０００２】
【従来の技術】
本願出願人は、現在、建設資材商品の一次卸に関し、販売店からの受注をインターネットを介して受け付けるシステム（ナイスアドバンと称する）を運用している。このシステムは、多数のメーカーの多種多様な建設資材商品の個々について、商品ＩＤ番号に関連付けてメーカー品番や商品スペック、定価、卸価格、在庫数量、納期などの販売情報を蓄積してなる商品データベースと、加盟店登録された各販売店について販売店ＩＤ番号に関連付けて店名（会社名）や住所、電話番号、ＦＡＸ番号、電子メールアドレスなどの販売店情報を蓄積した加盟店データベースとを備えて、Ｗｅｂサーバーとして機能するコンピュータを用いて運用されており、インターネットを介してアクセスしてくる加盟販売店の外部端末と相互通信して、販売店が所望する各種仕入れ商品のスペックや価格等の基本的な商品情報及びその在庫や納期等の販売情報等を適宜にＷｅｂページに生成して提供すると共に、販売店の指定する商品の見積回答や、受注確認通知などの一連の煩雑な処理を電子メールやＦＡＸ等も利用しつつ自動化して、一次卸業者と販売店との間の双方の事務処理の省力化を図っている。
【０００３】
【発明が解決しようとする課題】
ところで、住宅建設資材商品の取引にあっては、価格が安くて取扱業者にとっては極めて利鞘の薄く、しかも生産を海外で行っている商品なども多く、このような輸入商品では、為替変動などによるリスクを被りやすい。また、国内の住宅着工状況に大きく左右されるため、急に在庫がだぶつくなどの在庫リスクも高い。このため、このようなリスクを最小に止めるために、廉価に売りさばいて処分することも必要になる。
【０００４】
しかしながら、在庫過剰になった場合に、あまりに安く売りさばこうとすると、相場を破壊してしまう虞があるだけでなく、製造元や輸入元、一次卸問屋などの流通関連企業との関係において、以後の取引に支障を来す虞もあることから、廉価に処分することはなかなかし難く、処分に困窮する状況に陥ることが間々あった。
【０００５】
この発明は上記のような事情に鑑みてなされたものであり、その目的は、在庫調整が必要となったときに、取引先や第三者に知られることなく、確実に処分することが可能な市場を構築し得る、インターネットを利用して運用される住宅資材の販売・購入支援システムを提供することにある。
【０００６】
【課題を解決するための手段】
上記目的を達成するために、本発明では、コンピュータによりインターネットを利用して運用される住宅資材の販売・購入支援システムを、次の事項（１）〜（５）により特定される構成としたことを特徴とする。
【０００７】
（１）会員登録された利用者相互間における住宅資材の売買を仲介して、匿名性を持たせたオークション形式で支援するシステムであり、会員データベースと、商品の販売を希望する利用者が登録した商品の出品情報を蓄積する出品情報データベースと、商品の購入を希望する利用者が登録した商品の購入希望情報を蓄積する購入希望情報データベースとを有して、利用者が操作する外部端末とインターネットを介して相互通信してＷｅｂサーバとして機能する。
【０００８】
（２）前記会員データベースには、会員ＩＤに関連付けされて、会員名，所在地，ＦＡＸ番号あるいは電子メールアドレス等の連絡通知先手段の各種情報が含まれる。前記出品情報データベースには、会員ＩＤ，商品名，重量・寸法等の商品固有のスペック情報，販売数量，最低落札価格、受付日等の各種情報が含まれる。購入希望情報データベースには、会員ＩＤ，商品名，購買数量，入札価格等の各種情報が含まれる。
【０００９】
（３）前記Ｗｅｂサーバは、商品出品登録ＷｅｂページのＵＲＬを指定してアクセスしてきた利用者の外部端末からの要求に答えて、販売希望商品の出品登録画面と送信ボタンとが付帯された商品出品登録Ｗｅｂページを提供し、該商品出品登録Ｗｅｂページにおける出品登録画面に入力された会員ＩＤと販売希望商品に関する所定事項の情報とを該送信ボタンの操作により受け取ると、出品受付管理番号を自動付与して適宜な記憶媒体に設けた出品情報データベースに保存するとともに、受付確認通知を発信する。
【００１０】
（４）前記Ｗｅｂサーバは、商品の購入希望登録ＷｅｂページのＵＲＬを指定してアクセスしてきた利用者の外部端末からの要求に答えて、購入希望商品の登録画面と送信ボタンとが付帯された商品の購入希望登録Ｗｅｂページを提供し、該購入希望登録Ｗｅｂページにおける購入希望商品の登録画面に入力された会員ＩＤと購入希望商品に関する所定事項の情報とを該送信ボタンの操作により受け取ると、購入希望の受付確認通知を発信して、適宜な記憶媒体に設けた購入希望情報データベースに保存する。
【００１１】
（５）前記Ｗｅｂサーバは、所定の入札締め日が到来すると、出品情報データベースに蓄積された商品の出品情報と、購入希望情報データベースに蓄積された商品の購入希望情報とを照合し、合致する商品について、より高値の入札価格を提示した購入希望利用者から順番に、該入札価格よりも低い最低落札価格を提示して、かつ出品受付日の早い販売希望利用者の商品を順次に割り付け、該割り付け結果に基づいて、販売希望利用者に対して、販売数量と販売価格と商品配送情報との明細と伴に発注書を付帯させた販売結果通知を送信する一方、購入希望利用者に対して、販売数量と販売価格との明細と伴に請求書を付帯させた入札結果通知を送信する。
【００１２】
【発明の実施の形態】
以下に、本発明に係るインターネットを利用して運用される住宅資材の販売・購入支援システムの好適な一実施形態について添付図面を参照して説明する。
【００１３】
図１は本発明に係る建設資材の販売・購入支援システムが運用されるコンピュータのネットワーク構成の概略を示す。図示するように、この実施形態では販売・購入支援システムを運用するコンピュータＡは、販売希望商品の受付管理機能を有して仲売人サイトのＷｅｂサーバーを運用するコンピュータＡ１と、購入希望商品の受付管理機能を有して資材アウトレット市場サイトのＷｅｂサーバーを運用するコンピュータＡ２とが相互に通信可能に接続されて構成されている。
【００１４】
仲売人サイトを運用するコンピュータＡ１には、商品の販売を希望する利用者であるサプライヤーの端末Ｂ１〜Ｂｎから登録される商品の出品情報を蓄積する出品情報データベースと、会員登録された販売店や工務店等の利用者の会員データベースとが適宜な記憶媒体に構築されており、サプライヤーの操作する端末Ｂ１〜Ｂｎとはインターネットを介して相互に通信可能に接続されている。
【００１５】
また、資材のアウトレット市場サイトを運用するコンピュータＡ２には、商品の購入を希望する利用者であるバイヤーの端末Ｃ１〜Ｃｎから登録される商品の購入希望情報を蓄積する購入希望情報データベースと、会員登録された販売店や工務店等の会員データベースとが適宜な記憶媒体に構築されており、バイヤーの操作する端末Ｃ１〜Ｃｎとはインターネットを介して相互に通信可能に接続されている。
【００１６】
そして、これら両コンピュータＡ１，Ａ２はそれぞれに構築されたデータベースに蓄積された情報を利用しつつ、Ｗｅｂサーバーとして機能するようになっている。即ち、ＨＴＭＬ（Ｈｙｐｅｒｔｅｘｔ　Ｍａｒｋｕｐ　Ｌａｎｇｕａｇｅ）やＣＧＩ（Ｃｏｍｍｏｎ　Ｇａｔｅｗａｙ　Ｉｎｔｅｒｆａｃｅ）、並びにＳＱＬ（Ｓｔａｎｄａｒｄ　Ｑｕｅｒｙ　Ｌａｎｇｕａｇｅ）等の技術を用いて、各種情報の相互通信が可能なＷｅｂページを生成して配信できるようになっている。
【００１７】
そして、上記コンピュータＡ１は、インターネットを介して商品出品登録ＷｅｂページのＵＲＬを指定してアクセスしてきたサプライヤーの外部端末Ｂ１〜Ｂｎからの要求に答えて、販売希望商品の出品登録画面と送信ボタンとが付帯された商品出品登録Ｗｅｂページを提供し、この商品出品登録Ｗｅｂページにおける出品登録画面に入力された会員ＩＤと販売希望商品に関する所定事項の情報とを、送信ボタンの操作により受け取ると、出品受付管理番号を自動付与して適宜な記憶媒体に設けた出品情報データベースに保存するとともに、受付確認通知を発信する。
【００１８】
また、上記コンピュータＡ２は、商品の購入希望登録ＷｅｂページのＵＲＬを指定してアクセスしてきたバイヤーの外部端末Ｃ１〜Ｃｎからの要求に答えて、購入希望商品の登録画面と送信ボタンとが付帯された商品の購入希望登録Ｗｅｂページを提供し、この購入希望登録Ｗｅｂページにおける購入希望商品の登録画面に入力された会員ＩＤと購入希望商品に関する所定事項の情報とを、送信ボタンの操作により受け取ると、適宜な記憶媒体に設けた購入希望情報データベースに保存するとともに、購入希望の受付確認通知を発信する。
【００１９】
なお、以下の説明においてＷｅｂサーバという場合には、本実施形態のように連携する複数台のコンピュータで構成される場合だけでなく、１台のコンピュータで構成される場合も含むものとする。また、利用者が操作する外部端末とはインターネットＷｅｂブラウザが搭載されてＷｅｂページを閲覧可能なパーソナルコンピュータや携帯電話及びＰＤＡ（Ｐｅｒｓｏｎａｌ　Ｄｉｇｉｔａｌ　Ａｓｓｉｓｔａｎｔ）等の携帯端末をも含むものとする。また、上記の説明では会員データベースはコンピュータＡ１とＡ２とに個々に設けているが、どちらか一方のみに設けて、共有するようにすることもできる。
【００２０】
図２は、コンピュータＡ１，Ａ２のＷｅｂサーバーで運用される販売・購入支援システムと、工務店や販売店等の利用者の外部端末Ｂ１〜Ｂｎ，Ｃ１〜Ｃｎとの間でやり取りされる経時的な処理フロー（データの流れ）を概略的に（１）〜（１４）のステップにまとめて示したフローチャートである。
【００２１】
＝＝＝ステップ（１）〜（２）＝＝＝
ステップ（１）〜（２）は、資材仲売人サイトのＷｅｂサーバーＡ１と商品の販売を希望する利用者のサプライヤー端末との間、及び資材アウトレット市場サイトのＷｅｂサーバーＡ２と商品の購買を希望する利用者のバイヤー端末との間で適宜に行われる会員登録処理のステップを示す。
【００２２】
先ず、サプライヤー側の処理から説明すると、サプライヤー端末が商品出品登録ＷｅｂページのＵＲＬを指定してアクセスしてくると、資材仲売人サイトのＷｅｂサーバーＡ１は、先ず図６示すような会員ＩＤ番号とパスワードとの入力を促す入場用のトップページをサプライヤー端末Ｂに送信する。ここで、サプライヤーが、まだ会員登録をしていなければ、「新規登録画面へ」ボタンを押して、会員申込の登録処理の要求をする。すると、資材仲売人サイトのＷｅｂサーバーＡ１からサプライヤー端末Ｂに、図３に示すような新規登録用の会員申込画面が送信されてくる。この会員申込画面の所定の項目に、会社名，住所，電話番号，代表者，担当者，担当者メールアドレス等の情報を入力して、「送信」ボタンを押すと、次ぎに、資材仲売人サイトのＷｅｂサーバーＡ１はサプライヤー端末Ｂに図４に示すような登録受付画面を返信するとともに、会員ＩＤ番号を自動付与して、会員名，所在地，電子メールアドレス等の取得した各種情報を関連付けて会員データベースに格納して、図５（ａ）に示すような会員ＩＤ番号とパスワードとを記した電子メールを送付する。
【００２３】
一方、バイヤー側の処理では、ほぼ同様に、バイヤーが購入希望登録ＷｅｂページのＵＲＬを指定してアクセスしてくると、資材アウトレット市場サイトＡ２は、先ず図１０に示すような会員ＩＤ番号とパスワードとの入力を促す入場用のトップページをバイヤーの端末Ｃに送信する。そして、バイヤーは、まだ会員登録をしていなければ、「新規登録画面へ」ボタンを押して、会員申込の登録処理の要求をする。すると、資材アウトレットサイトのＷｅｂサーバーＡ２からバイヤーの端末Ｃに、図３に示すような新規登録用の会員申込画面が送信されてくる。この会員申込画面の所定の項目に、会社名，住所，電話番号，代表者，担当者，担当者メールアドレス等の情報を入力して、「送信」ボタンを押すと、次ぎに、資材アウトレットサイトのＷｅｂサーバーＡ２はバイヤーの端末Ｃに図４に示すような登録受付画面を返信するとともに、会員ＩＤ番号を自動付与して、会員名，所在地，電子メールアドレス等の取得した各種情報を関連付けて会員データベースに格納して、図５（ｂ）に示すような会員ＩＤ番号とパスワードとを記した電子メールを送付する。
【００２４】
＝＝＝ステップ（３）〜（４）＝＝＝
ステップ（３）では、サプライヤーが、取得したＩＤ番号とパスワードとを、図６に示す資材仲売人サイトのトップページ中の該当入力窓に入力して「入場」ボタンを押すと、その入場要求に答えて、資材仲売人サイトのＷｅｂサーバーはＡ１、図７に示すような商品出品登録Ｗｅｂページの画面データを提供して、販売・購入支援システムへのログインを許諾する。そして、サプライヤーが当該商品出品登録画面中の所定項目に、販売を希望する商品の商品名，数量，出荷単位，最低販売可能価格（最低落札価格）等の諸情報を入力して「出品」ボタンを押すことで、商品の出品情報が資材仲売人サイトのＷｅｂサーバーＡ１に届く。
【００２５】
ステップ（４）では、商品の出品情報を受け取った資材仲売人サイトのＷｅｂサーバーＡ１は、サプライヤーの端末Ｂに対して出品内容の確認画面、例えば受け取った商品出品情報が、出品商品名が杉合板で、そのサイズが９００×１８００、数量が１２００枚、出荷単位が１００枚、最低販売可能価格が５００円であれば、図８に示すような出品確認画面のデータを送信する。この出品内容確認画面には、「確認」ボタンと「前画面に戻る」ボタンとが付帯されており、サプライヤーは商品出品情報の内容に誤りが無く訂正が不要であれば確認ボタンを押し、誤りがあった場合等の訂正が必要な場合には「前画面に戻る」ボタンを押す。「前画面に戻る」ボタンが押されると、サプライヤー端末Ｂには資材仲売人サイトのＷｅｂサーバーＡ１から再び商品出品登録画面データが送信されて表示され、上記の登録作業をやり直す。
【００２６】
一方、「確認」ボタンが押された場合には、資材仲売人サイトのＷｅｂサーバーＡ１は出品受付管理番号を自動付与して、受け取った商品の出品情報を適宜な記憶媒体に設けた出品情報データベースに保存するとともに、図９に示すような受付番号を記した受付確認通知を発信する。
【００２７】
＝＝＝ステップ（５）〜（６）＝＝＝
ステップ（５）では、バイヤーが取得したＩＤ番号とパスワードとを、図１０に示す資材アウトレット市場サイトのトップページ中の該当入力窓に入力して「入場」ボタンを押すと、その入場要求に答えて、資材アウトレット市場サイトのＷｅｂサーバーＡ２は、図１１に示すような商品の購入希望登録Ｗｅｂページの購入希望商品の登録画面（以後、商品入札画面と記す）データを提供して、販売・購入支援システムへのログインを許諾する。そして、バイヤーが当該商品入札画面中の所定項目に、販売を希望する商品の商品名，サイズ，数量，購入価格（入札価格）等の諸情報を入力して、「入札」ボタンを押すことで、購買希望商品に関する入札情報が資材アウトレット市場サイトのＷｅｂサーバーＡ２に届く。
【００２８】
ステップ（６）では、購買希望商品の入札情報を受け取った資材アウトレット市場サイトのＷｅｂサーバーＡ２は、バイヤーの端末Ｃに対して入札内容の確認画面、例えば受け取った入札情報が、商品名が杉合板で、そのサイズが９００×１８００、数量が１０００枚、入札価格が７００円であれば、図１２に示すような入札内容の他に、入札締日と落札通知日とを記した確認画面のデータを送信する。
【００２９】
この入札内容確認画面には、「確認」ボタンと「前画面に戻る」ボタンとが付帯されており、バイヤーは入札情報の内容に誤りが無く訂正が不要であれば「確認」ボタンを押し、誤りがあった場合等の訂正が必要な場合には「前画面に戻る」ボタンを押す。「前画面に戻る」ボタンが押されると、バイヤーの端末Ｃには資材アウトレット市場サイトのＷｅｂサーバーＡ２から再び商品入札画面データが送信されて表示され、上記の入力作業をやり直す。
【００３０】
一方、「確認」ボタンが押された場合には、資材アウトレット市場サイトのＷｅｂサーバーＡ２は入札受付管理番号と受付日付データとを自動付与して、受け取った購入希望商品の入札情報を適宜な記憶媒体に設けた購入希望情報データベースに保存する。
【００３１】
＝＝＝ステップ（７）〜（８）＝＝＝
ステップ（７）〜（８）は受発注割付処理のステップである。この受発注割付処理の内容を図１３に示す。
【００３２】
即ち、資材仲売人サイトを運用するＷｅｂサーバーＡ１と資材アウトレット市場サイトを運用するＷｅｂサーバーＡ２とは、所定の入札締め日、例えば７／２０が到来すると、出品情報データベースに蓄積された商品の出品情報と購入希望情報データベースに蓄積されている商品の購入希望情報とを照合する。そして、合致する商品について、より高値の入札価格を提示した購入希望利用者（バイヤー）から順番に、当該入札価格よりも低い最低落札価格を提示しており、かつ出品受付日の早い販売希望利用者（サプライヤー）の商品を順次に割り付けて引き当てを行っていく。
【００３３】
つまり、図１３に示すように、例えば杉合板について、仲売人サイト側で受け付けた複数の出品情報において、受付日が７／１０で最低落札価格が７００円の仲売人Ｎｏ．０１０の出品情報と、７／１１で６００円の仲売人Ｎｏ．０１１の出品情報と、７／１８で５００円の仲売人Ｎｏ．０１２の出品品情報とがあるとすれば、最低落札価格よりも受付日の早いものが優先される。一方、購入希望利用者（バイヤー）の入札側では、受付日よりも入札価格が優先されて、入札価格の高い順に商品が割り付けられて引き当てされていく。
【００３４】
つまり、購入希望利用者であるバイヤーがＡ，Ｂ，Ｃという順番で、それぞが７００円、５００円、７００円の入札価格で受付されたという購入希望情報があるとすれば、その優先順位はＡ，Ｃ，Ｂとなる。従って、仲売人番号Ｎｏ．０１０の１０００枚の杉合板のうちの５００枚は、５００枚を希望しているバイヤーＡに割り付けらて引き当てが行われ（▲１▼）、残る５００枚が２０００枚を希望しているバイヤーＣに割り付けられて引き当てが行われる（▲２▼）。次に、仲売人Ｎｏ．０１１の５００枚の全てが引き続いて上記２０００枚を希望しているバイヤーＣに割り当てられて引き当てが行われ（▲３▼）、更に仲売人Ｎｏ．０１２の１２００枚のうちの１０００枚が上記２０００枚を希望しているバイヤーＣに割り付けられて引き当てが行われ（▲４▼）る。これにより、バイヤーＣの希望枚数２０００枚の全てが引き当てられることになる。そして、仲売人Ｎｏ．０１２の１２００枚のうちの残った２００枚が、５００枚を希望するバイヤーＢに割り付けられて引き当てが行われることになり、最終的にバイヤーＢは３００枚の不足となり、このように不足が生じたバイヤーＢは必要な残数を次回の締めに持ち越すことになる。
【００３５】
＝＝＝ステップ（９）〜（１０）＝＝＝
ステップ（９）〜（１０）は、上記割り付け・引き当て作業の後、当該割り付け結果の情報をサプライヤーとバイヤーとに通知するステップである。
【００３６】
即ち、ステップ（９）では、仲売人サイトのＷｅｂサーバーＡ１は、各販売希望利用者のサプライヤー端末Ｂに対して、図１４（ａ）に示すような締め後落札情報の通知を電子メールで送信する。この電子メールには、個々のサプライヤーの専用画面に構成した当期締めの販売結果通知画面のＵＲＬにハイパーリンクさせた販売結果タグが記されており、この電子メールを受け取ったサプライヤーが販売結果タグをクリックすると、仲売人サイトのＷｅｂサーバーＡ１からサプライヤーの端末Ｂに、図１５に示すような販売結果通知画面のデータが送信されて、表示されることになる。そして、当該画面中の「商品配送情報・発注書」ボタンを押すことで、更に図１６に示すような商品の引き取り情報が記された商品配送情報通知画面のデータがＷｅｂサーバーＡ１から送信されて表示され、当該画面中の「発注書印刷」ボタンを押すことで、図示していない発注書がサプライヤーの端末Ｂに接続されたプリンターから出力されるようになっている。つまり、販売数量と販売価格と商品配送情報との明細と伴に発注書を付帯させた販売結果通知を送信する。
【００３７】
一方、ステップ（１０）では、資材アウトレット市場サイトのＷｅｂサーバーＡ２は、各購入希望利用者のバイヤー端末Ｃに対して、図１４（ｂ）に示すような締め後落札情報の通知を電子メールで送信する。この電子メールには、個々のバイヤーの専用画面に構成した当期締めの締後入札結果通知画面のＵＲＬにハイパーリンクさせた落札情報タグが記されており、この電子メールを受け取ったバイヤーが落札情報タグをクリックすると、資材アウトレット市場サイトのＷｅｂサーバーＡ２からバイヤーの端末Ｃに、図１７に示すような締後入札結果通知画面のデータが送信されて、表示されることになる。そして、当該画面中の「請求情報」ボタンを押すことで、更に図１８に示すような請求情報画面のデータがＷｅｂサーバーＡ２から送信されて表示され、当該画面中の「請求書」ボタンを押すことで、図示していない請求書がバイヤーの端末Ｃに接続されたプリンターから出力されるようになっている。つまり、販売数量と販売価格との明細と伴に請求書を付帯させた入札結果通知を送信する。
【００３８】
＝＝＝ステップ（１１）〜（１６）＝＝＝
ステップ（１１）〜（１６）は代金の支払いから商品の配送までを示すものである。ステップ（１１）に示すようにバイヤーが指定の金融機関に代金を振り込むことで商品代金の支払いが済み、資材アウトレット市場サイトのＷｅｂサーバーＡ２に当該金融機関からの送金情報が入力されると、ステップ（１２）に示すように、資材アウトレット市場サイトのＷｅｂサーバーＡ２からバイヤーの端末Ｃに、図１９に示すような入金確認情報の通知が電子メールで送信される。この電子メールには、個々のバイヤーの専用画面に構成した入荷確定情報・納品書画面のＵＲＬにハイパーリンクさせた配送情報タグが記されており、この電子メールを受け取ったバイヤーが配送情報タグをクリックすると、資材アウトレット市場サイトのＷｅｂサーバーＡ２からバイヤーの端末Ｃに、図２０に示すような商品の配送情報が記された入荷確定情報・納品書画面のデータが送信されて表示され、当該画面中の「納品書印刷」ボタンを押すことで、図示していない納品書がバイヤーの端末Ｃに接続されたプリンターから出力されるようになっていて、納品の確認後に当該納品書をＦＡＸ等で返信して貰うようになっている。
【００３９】
また、上記金融機関からの送金情報が入力されると、ステップ（１３）に示すように当該情報は資材仲売人サイトのＷｅｂサーバーＡ１に送信され、当該情報を取得した資材仲売人サイトのＷｅｂサーバーＡ１は、ステップ（１４）に示すように、サプライヤーの端末Ｂに向けて図２１に示すような代金送金情報の通知を電子メールで送信する。この電子メールには、個々のサプライヤーの専用画面に構成した代金支払情報画面のＵＲＬにハイパーリンクさせた支払明細タグが記されており、この電子メールを受け取ったサプライヤーが支払明細タグをクリックすると、資材仲売人サイトのＷｅｂサーバーＡ１からサプライヤーの端末Ｂに、図２２に示すような代金支払情報が記された代金支払情報画面のデータが送信されて表示されるようになっている。
【００４０】
また、ステップ（１５）〜（１６）に示すように、資材仲売人サイトのＷｅｂサーバーＡ１は、サプライヤーとバイヤーとに通知した配送情報に基づいて、商品引き取りと配送の通知を運送会社に対して行い、運送会社は指定された期日に商品の引き取り作業を行う。
【００４１】
従って、以上のようにしてなる本実施形態の建設資材の販売・購入支援システムにあっては、会員登録した建設資材商品を扱う業者の利用者が、在庫調整が必要となった商品を抱えて、廉価に販売しなければならなくなった場合に、当該販売を希望する商品を出品登録しておくだけで、当該商品をオークション形式で販売して確実に処分することが可能となる。また、会員登録した利用者は、購入を希望する建設資材商品の情報を、資材アウトレット市場サイトのＷｅｂサーバーＡ２に登録しておくだけで、当該商品をオークション形式で格安な価格で廉価に仕入れることができるようになる。また、建設資材商品は、資材中売り人サイトのＷｅｂサーバーＡ１と資材アウトレット市場サイトのＷｅｂサーバーＡ２とを介して匿名で売買されるから、販売希望者と購入希望者とが互いにその相手を知ることが無く、このため、取引先や第三者に知られることなく、建設資材の売買を行うことができるようになる。
【００４２】
即ち、会員登録された利用者間で、建設資材商品の売買を、取引先や第三者に知られることなく匿名で、廉価に行える市場を構築して実現することができ、もって在庫調整が必要となった商品を抱えた業者が当該商品を確実に処分することを支援することができるとともに、建設資材の購入希望者が可及的に廉価に商品を仕入れることを支援できるようになる。
【００４３】
【発明の効果】
以上、実施形態で詳細に説明したように、本発明によれば、建設資材商品の在庫調整が必要となったときに、取引先や第三者に知られることなく、確実に処分することが可能な市場を実現することができる。
【図面の簡単な説明】
【図１】本発明の一実施例に係る建設資材の販売・購入支援システムを運用するＷｅｂサーバのネットワーク構成の概略を示す図である。
【図２】上記支援システム及び外部のコンピュータとの間でやり取りされる経時的な処理フロー（データの流れ）の概略を示す説明図である。
【図３】会員登録画面の一例を示す図である。
【図４】会員登録の受付画面の一例を示す図である。
【図５】（ａ）は資材サプライヤー向けのＩＤ・パスワードの通知用電子メールの一例を示す図である。（ｂ）は資材バイヤー向けのＩＤ・パスワードの通知用電子メールの一例を示す図である。
【図６】上記販売・購入支援システムで提供される、資材仲売人サイトへの入場認証画面の一例を示す図である。
【図７】上記販売・購入支援システムで提供される、資材仲売人サイトの商品出品登録画面の一例を示す図である。
【図８】上記商品出品登録の受付画面の一例を示す図である。
【図９】上記商品出品登録の確認画面の一例を示す図である。
【図１０】上記販売・購入支援システムで提供される、資材アウトレット市場への入場認証画面の一例を示す図である。
【図１１】上記販売・購入支援システムで提供される、資材アウトレット市場サイトの商品入札画面の一例を示す図である。
【図１２】上記入札内容の確認画面の一例を示す図である。
【図１３】受発注割付処理の内容を説明する図である。
【図１４】（ａ）は資材サプライヤー向けの販売結果通知用電子メールの一例を示す図である。（ｂ）は資材バイヤー向けの落札情報通知用電子メールの一例を示す図である。
【図１５】資材サプライヤーに提供される販売結果通知画面の一例を示す図である。
【図１６】資材サプライヤーに提供される商品配送情報通知画面の一例を示す図である。
【図１７】資材バイヤーに提供される締後入札結果通知画面の一例を示す図である。
【図１８】資材バイヤーに提供される請求情報の画面の一例を示す図である。
【図１９】資材バイヤーに提供される入金確認電子メールの一例を示す図である。
【図２０】資材バイヤーに提供される入荷確定情報・納品書画面の一例を示す図である。
【図２１】資材サプライヤーに提供される代金送金情報の通知用電子メールの一例を示す図である。
【図２２】資材サプライヤーに提供される代金支払情報画面の一例を示す図である。
【符号の説明】
Ａ（Ａ１，Ａ２）　Ｗｅｂサーバ
Ｂ（Ｂ１〜Ｂｎ）　利用者（販売希望者）の外部端末
Ｃ（Ｃ１〜Ｃｎ）　利用者（購入希望者）の外部端末
【図１】
2004070434.tif 000003
【図２】
2004070434.tif 000004
【図３】
2004070434.tif 000005
【図４】
2004070434.tif 000006
【図５】
2004070434.tif 000007
【図６】
2004070434.tif 000008
【図７】
2004070434.tif 000009
【図８】
2004070434.tif 000010
【図９】
2004070434.tif 000011
【図１０】
2004070434.tif 000012
【図１１】
2004070434.tif 000013
【図１２】
2004070434.tif 000014
【図１３】
2004070434.tif 000015
【図１４】
2004070434.tif 000016
【図１５】
2004070434.tif 000017
【図１６】
2004070434.tif 000018
【図１７】
2004070434.tif 000019
【図１８】
2004070434.tif 000020
【図１９】
2004070434.tif 000021
【図２０】
2004070434.tif 000022
【図２１】
2004070434.tif 000023
【図２２】
2004070434.tif 000024